(57)【要約】【課題】  炭酸泉製造装置の撹拌ヘッド又はシャワーヘッドの内部に収納するスプリングユニットを提供することを目的とし、装置の簡素化、維持管理の簡易化をはかるものである。【解決手段】  湯又は水に炭酸ガスを溶解させる炭酸泉製造装置における炭酸泉を排出する撹拌ヘッド又はシャワーヘッド等のヘッド内に配置するスプリングユニットであり、圧縮バネと、前記圧縮バネの下端に構成した底板とからなり、湯又は水は圧縮バネの間隙を通過して排出されるスプリングユニット。【選択図】図５
2015008758.tif 000002
【特許請求の範囲】
【請求項１】
湯又は水に炭酸ガスを溶解させる炭酸泉製造装置における炭酸泉を排出する撹拌ヘッド内に配置するスプリングユニットであり、
圧縮バネと、前記圧縮バネの下端に構成した底板とからなることを特徴とするスプリングユニット。
【請求項２】
湯又は水に炭酸ガスを溶解させる炭酸泉製造装置における炭酸泉を排出する撹拌ヘッド内に配置するスプリングユニットであり、
圧縮バネと、前記圧縮バネの上端に構成した天板と下端に構成した底板とからなり、前記天板を前記底板に上下動可能に連結したこと特徴とするスプリングユニット。
【請求項３】
前記圧縮バネの内側に１個の小径の圧縮バネを配置したこと特徴とする請求項１又は請求項２記載のスプリングユニット。
【請求項４】
前記圧縮バネの内側に複数の小径の圧縮バネを配置したこと特徴とする請求項１又は請求項２記載のスプリングユニット。
【発明の詳細な説明】
【技術分野】
【０００１】
本発明は、炭酸泉製造装置のシャワーヘッド等の撹拌ヘッドの内部に収納するスプリングユニットに関するものである。
【背景技術】
【０００２】
従来より、炭酸ガスが溶解した湯又は水である炭酸泉は優れた保温作用があることが知られていて浴場等で用いられている。また炭酸ガスが体内に入ることによって皮膚の血行が改善されるという効果があるとされている。
【０００３】
このように炭酸泉が優れた効果を持つことから、これを人工的に製造する試みが行われてきた。
例えば、特許文献１に示す炭酸泉の製造装置は、温水に炭酸ガスを溶解する溶解器（４）、炭酸ガスを供給するガスボンベ（６）、炭酸ガス圧を一定に保つ減圧弁及び開閉弁からなり、溶解器は中空糸膜を介して炭酸ガスを温水に溶解せしめる構造を有し、温水導入口（３２）は蛇口直結の切替コックを先端に有するフレキシブルな温水導入管（３）と連結されており、炭酸泉導出口（３７）は給湯するためのフレキシブルな導出管（１０）に連結されているものである。
【先行技術文献】
【特許文献】
【０００４】
【特許文献１】特開平８−１９７８４号公報
【０００５】
この発明は、簡単且つコンパクトな方法で、炭酸ガスを温水に効率よく溶解させて、高濃度の炭酸泉を家庭で簡単に製造することが出来る装置を提供するものである。
【発明の概要】
【発明が解決しようとする課題】
【０００６】
しかしながら、前記特許文献１記載の発明は、溶解器は中空糸膜を介して炭酸ガスを温水に溶解せしめる構造を有しているため、構造が大型で複雑になり、メンテナンスの費用と手間がかかる等の問題点があった。
【０００７】
本発明はこのような従来の欠点を除去したもので、炭酸泉製造装置の撹拌ヘッド又はシャワーヘッドの内部に収納するスプリングユニットを提供することを目的とし、装置の簡素化、維持管理の簡易化をはかるものである。
【課題を解決するための手段】
【０００８】
請求項１に記載の発明は、湯又は水に炭酸ガスを溶解させる炭酸泉製造装置における炭酸泉を排出する撹拌ヘッド内に配置するスプリングユニットであり、圧縮バネと、前記圧縮バネの下端に構成した底板とからなることを特徴とするスプリングユニットである。
【０００９】
請求項２に記載の発明は、湯又は水に炭酸ガスを溶解させる炭酸泉製造装置における炭酸泉を排出する撹拌ヘッド内に配置するスプリングユニットであり、圧縮バネと、前記圧縮バネの上端に構成した天板と下端に構成した底板とからなり、前記天板を前記底板に上下動可能に連結したスプリングユニットである。
【００１０】
請求項３に記載の発明は、前記圧縮バネの内側に１個の小径の圧縮バネを配置したスプリングユニットである。
【００１１】
請求項４に記載の発明は、前記圧縮バネの内側に複数の小径の圧縮バネを配置したスプリングユニットである。
【発明の効果】
【００１２】
請求項１記載のスプリングユニットによれば、撹拌ヘッド内にスプリングユニットを配置したことで、湯又は水はスプリングユニットの圧縮バネの間隙を通過するときに自動的に撹拌され撹拌効率が良くなり、圧縮バネの間隙を調節することで必要に応じた撹拌効果を有した炭酸泉を得ることができ、さらに炭酸泉製造装置が耐久性に優れメンテナンスも容易で撹拌効果が持続するという効果を奏する。
【００１３】
請求項２記載のスプリングユニットによれば、請求項１の効果に加えて、圧縮バネの上端に構成した天板を底板に上下動可能に連結したため、圧縮バネの間隙をあらかじめ調整することができる。
【００１４】
請求項３記載のスプリングユニットによれば、請求項１の効果に加えて、圧縮バネの内側に１個の小径の圧縮バネを配置したから、撹拌効果が高まる。
【００１５】
請求項４記載のスプリングユニットによれば、請求項１の効果に加えて、記圧縮バネの内側に複数の小径の圧縮バネを配置したから、撹拌効率がさらに向上するのでる。
【図面の簡単な説明】
【００１６】
【図１】スプリングユニットの実施形態１の正面断面図
【図２】スプリングユニットの実施形態１の平面図
【図３】スプリングユニットの実施形態１の底面図
【図４】スプリングユニットの実施形態１の一部拡大断面図
【図５】スプリングユニットの実施形態１の使用態様図
【図６】スプリングユニットの実施形態１の使用態様図
【図７】スプリングユニットの実施形態２の正面断面図
【図８】スプリングユニットの実施形態２の平面図
【図９】スプリングユニットの実施形態２の底面図
【図１０】スプリングユニットの実施形態２の一部拡大断面図
【図１１】スプリングユニットの実施形態２の使用態様図
【図１２】スプリングユニットの実施形態２の使用態様図
【図１３】スプリングユニットの実施形態３の概略正面断面図
【図１４】スプリングユニットの実施形態３の平面図
【図１５】スプリングユニットの実施形態４の概略正面断面図
【図１６】スプリングユニットの実施形態４の平面図
【図１７】スプリングユニットの実施形態３の使用態様図
【図１８】スプリングユニットの実施形態４の使用態様図
【図１９】スプリングユニットの実施形態３、４の浴槽への使用状態を示す説明図
【図２０】スプリングユニットの実施形態５の概略正面断面図
【図２１】スプリングユニットの実施形態５の平面図
【図２２】スプリングユニットの実施形態６の概略正面断面図
【図２３】スプリングユニットの実施形態６の平面図
【図２４】スプリングユニットの実施形態７の概略正面断面図
【図２５】スプリングユニットの実施形態７の平面図
【図２６】スプリングユニットの実施形態８の概略正面断面図
【図２７】スプリングユニットの実施形態８の平面図
【図２８】スプリングユニットの管体への使用状態を示す説明図
【発明を実施するための形態】
【００１７】
図１乃至図６にスプリングユニットの実施形態１を示す。
このスプリングユニット２００は、コイル状の圧縮バネ２１０と、この圧縮バネ２１０の上端に構成した天板２０１及び下端に構成した底板２０７とから構成されている。
前記圧縮バネは、断面が円形又は矩形の線材を螺旋状に成型し、軸方向に伸縮可能にすることにより、線材同士の間隙を調整可能にした筒状体である。材質は、耐食性、弾性を有する金属または合成樹脂である。
【００１８】
前記天板２０１は円形であり、下面周縁に設けた係止部２０１ａによって圧縮バネ２１０の上端を覆って取り付けられている。
前記天板２０１には、湯又は水の通路である流水路２０３を３か所構成してあり、中央に支持杆２０５を設けてある。この支持杆２０５の下部にはネジ部２０５ａが構成されている。
【００１９】
前記底板２０７は、全面に孔を有していない、いわゆるメクラ板であり、上面周縁に設けた係止部２０７ａによって圧縮バネ２１０の下端を支持すると共に、中央には前記支持杆２０５を支持する円筒状の受け部２０６を立設している。受け部２０６の内周にはネジ部２０６ａが構成されていて、前記支持杆２０５のネジ部２０５ａと螺合している。
【００２０】
前記天板２０１と底板２０７との間には、圧縮バネ２１０が固定されているが、前述のように支持杆２０５の下部は底板２０７の受け部２０６と螺合して支持されているから、天板２０１を水平方向に回転することで天板２０１は上下動し、これに伴って圧縮バネ２１０は伸縮するのである。
このように圧縮バネ２１０を伸縮させることで、間隙２０９の大きさを調整することができ、それによって間隙２０９を通過する湯又は水の撹拌効率を高めることができる。
【００２１】
上記のように構成した実施形態１の作用を説明する。
図５に示すように、スプリングユニット２００を撹拌ヘッドであるシャワーヘッド２２０のヘッド本体部２２１内に固定する。このとき天板２０１を遮蔽材２２０ａによってシャワーヘッド２２０内部に固定し、底板２０７を支持部２２０ｂによって、前板２２２に一定の間隔を有して固定する。符号２２３，２２３・・は前板２２２に設けた孔である。
【００２２】
炭酸泉製造装置によって炭酸ガスと混合した湯又は水を、シャワーヘッド２２０に供給すると、湯又は水はヘッド本体部２２１に至り、スプリングユニット２００の天板２０１の流水路２０３から圧縮バネ２１０の内部を通過して、圧縮バネ２１０の間隙２０９から排出され（図４参照）、ヘッド本体部２２１の内壁に衝突してから前板２２２の孔２２３，２２３・・を経て外部に排出される。なお、ここで炭酸泉製造装置とは、湯又は水に炭酸ガスを混合させる装置を指す。
【００２３】
一方、底板２０７は、前述の通り湯又は水が流通する孔や流水路を有していないため、湯又は水は底板２０７に衝突した後、圧縮バネ２１０の間隙２０９を通過していくため、すべての湯又は水が間隙２０９を通過することになり炭酸ガスとの撹拌効果が大きくなるのである。
さらに前述の通り、あらかじめ間隙２０９の大きさが調整可能のため、湯又は水の圧力や量の違いに対応して前記間隙２０９を設定することで撹拌効率が向上する。
【００２４】
このように、炭酸ガスを含んだ湯又は水は、天板２０１の流水路２０３、底板２０７、圧縮バネ２１０の間隙２０９及び孔２２３で充分に撹拌されるため炭酸ガス溶解度を高めて純度の高い炭酸泉が得られると共に、未溶解炭酸ガスの微細化と湯又は水の中での分散化が図れる。
さらに炭酸泉製造装置の性能寿命の長期化や洗浄手入れ作業の簡易化が図れる。
【００２５】
図６に、前記スプリングユニット２００を撹拌ヘッド２３０のヘッド本体部２３１内に取り付けた例を示す。この例ではスプリングユニット２００の天板２０１は、遮蔽材２３０ａによって撹拌ヘッド２３０の内部に固定され、底板２０７は前板２３２に固定されている。
【００２６】
この例では、スプリングユニット２００を通過した湯又は水はヘッド本体部２３１の周面部に設けた孔２３３，２３３・・から排出されるのであり、その他の作用、効果は、前記シャワーヘッド２２０の場合と同様のため説明を省略する。
【００２７】
図７乃至図１２にスプリングユニットの実施形態２を示す。
本実施形態のスプリングユニット３００は、アルミ等の金属製の管体からなり、その周側壁をレザーカット等で一定の間隙３０９を有して切り欠いてコイル状の圧縮バネ３１０を構成し、さらに前記圧縮バネ３１０の上端に天板３０１及び下端に底板３０７を構成したものである。
【００２８】
前記天板３０１は円形であり、圧縮バネ３１０の上端を覆って取り付けている。前記天板３０１には、湯又は水の通路である流水路３０３を３か所設けてあり、中央に支持杆３０５を設けてある。この支持杆３０５の下部周面にはネジ部３０５ａを構成してある。
【００２９】
前記底板３０７は、全面に孔を有していない、いわゆるメクラ板であり、中央に前記支持杆３０５を支持する円筒状の受け部３０６を立設している。受け部３０６の内周にはネジ部３０６ａが構成されていて、前記支持杆３０５のネジ部３０５ａと螺合している。
【００３０】
本実施形態のスプリングユニット３００は前記実施形態１のスプリングユニット２００と同様に、天板３０１の回転によって圧縮バネ３１０を伸縮させて間隙３０９の大きさを調整することができ、それによって間隙３０９を通過する湯又は水の撹拌効果に変化を与えることができる。
【００３１】
上記のように構成した実施形態２の作用を説明する。
図１１及び図１２に示すように、スプリングユニット３００をシャワーヘッド２２０のヘッド本体部２２１内、あるいは撹拌ヘッド２３０のヘッド本体部２３１内に取り付けて使用する。
以下前記スプリングユニット２００の説明と同一の構成は同一の符号を付して説明を省略し、同様の作用、効果も説明が重複するため適宜省略する。
【００３２】
スプリングユニット３００は、前述のように圧縮バネ３１０を伸縮させて、間隙３０９を通過する湯又は水の撹拌効果に変化を与える。
このとき、圧縮バネ３１０は管体の周側壁を切り欠いて構成してあるため、図１０に示すように、圧縮バネ３１０の断面は平面であり管体の周側壁の肉厚である幅Ｄを有している。そのため前記スプリングユニット２００の圧縮バネ２１０の円形断面に比べて、湯又は水が間隙３０９を通過する時間が長くなり圧縮バネ３１０に接触する距離も長くなるため撹拌効果が大きくなるという効果がある。
また、本実施形態は作り方が簡単であるというメリットもあり、材質は金属に限らず合成樹脂も使用できる。
【００３３】
図１３、図１４、図１７にスプリングユニットの実施形態３を示す。なお、以下の実施形態においてスプリングユニットの図を概略図とする。
実施形態３のスプリングユニット４００は、コイル状の圧縮バネ４１０と、この圧縮バネ４１０の下端に構成した底板４０７とから構成されている。圧縮バネ４１０は、前記圧縮バネ２１０と同様の構成である。
【００３４】
前記底板４０７は、全面に孔を有していない、いわゆるメクラ板であり、上面周縁に設けた係止部４０７ａによって圧縮バネ４１０の下端を支持している。
【００３５】
スプリングユニット４００は撹拌ヘッド４３０の内部に配置されて使用されるが、その状態を図１７に示し、図１９に撹拌ヘッド４３０を浴槽１００に取り付けた状態を示す。
【００３６】
前記撹拌ヘッド４３０の構成を説明すると、湯又は水が送られてくるホース４２０の先端に取付部４２１を介して撹拌ヘッド４３０が取り付けられていて、取付部４２１の内部には中央に流水路４２２ａを設けた制御板４２２が固定されている。
【００３７】
前記撹拌ヘッド４３０は筒状のヘッド本体部４３１と、その先端に構成した前板４３２からなり、前板４３２は浴槽１００内に配置されている。
ヘッド本体部４３１はその後端の外周にネジ部４３１ａを構成し、前記取付部４２１のネジ部４２１ａと螺合している。
そしてヘッド本体部４３１の後端は前記制御板４２２との間に間隙Ｓを設けて取り付けられている。
【００３８】
前記ヘッド本体部４３１の内部の空間Ｋにスプリングユニット４００を配置する。このとき、圧縮バネ４１０の上端は、前記制御板４２２に接触した状態で取り付けられ、底板４０７は支持部４３０ｂによって前板４３２に固定して支持されている。
また、スプリングユニット４００を取り付けるときに、ヘッド本体部４３１の後端を、取付部４２１の先端に螺合させながら取り付けるのであり、このときに間隙Ｓを利用して、圧縮バネ４１０の間隙４０９を所望の幅に設定することによって、最も効率の良い撹拌を得られるようにする。前記ホース４２０は硬質の管体を使用することもできる。
【００３９】
上記のように構成した実施形態３の作用を説明する。
図１７に示すように、ホース４２０から炭酸ガスと混合した湯又は水が供給されると、湯又は水は制御板４２２の流水路４２２ａで水流が速くなりヘッド本体部４３１の空間Ｋに至り、圧縮バネ４１０の内部から間隙４０９を通過し（図１３参照）、ヘッド本体部４３１の内壁に衝突してから前板４３２に設けた孔４３５，４３５・・を経て浴槽１００に排出される。
【００４０】
このように、炭酸ガスと混合した湯又は水は、制御板４２２の流水路４２２ａ、圧縮バネ４１０の間隙４０９及び孔４３５で充分に撹拌されるため純度の高い炭酸泉が得られる。
【００４１】
図１５、図１６、図１８にスプリングユニットの実施形態４を示す。
このスプリングユニット４０１は、前記スプリングユニット４００に天板４０８と支持杆４０５を設けると共に、底板４０７の中央には前記支持杆４０５を支持する円筒状の受け部４０６を立設している。受け部４０６の内周にはネジ部４０６ａが構成されていて、前記支持杆４０５の内側に設けたネジ部４０５ａと螺合している。
【００４２】
このスプリングユニット４０１は、前記実施形態１のスプリングユニット２００と同様の構成であり、天板４０８を水平方向に回転することで圧縮バネ４１０を伸縮させることで、圧縮バネ４１０の間隙４０９の大きさを調整した後に撹拌ヘッド４５０のヘッド本体部４５１に取り付けるものである（図１８参照）。
この間隙４０９の大きさの調整によって、間隙４０９を通過する湯又は水の撹拌効果に変化を与えることができる。
【００４３】
図２０及び図２１にスプリングユニットの実施形態５を示す。
実施形態５のスプリングユニット５００は、圧縮バネ５１０内側に小径の圧縮バネ５２０を１個設け、これらの圧縮バネ５１０、５２０の下端に底板５０７を構成して圧縮バネ５１０、５２０を固定したものである。この構成は前記実施形態３のスプリングユニット４００に小径の圧縮バネ５２０を設けたものと同様である。
【００４４】
前記スプリングユニット５００は、前記スプリングユニット４００と同様に撹拌ヘッド４３０の内部に配置して使用されるが、スプリングユニット５００は、湯又は水が圧縮バネ５２０の間隙５２９と圧縮バネ５１０の間隙５０９の両方を通過するため、撹拌効果に優れている。
その他の作用効果は、前記実施形態３と同様であるため説明を省略する。
【００４５】
図２２、図２３にスプリングユニットの実施形態６を示す。
このスプリングユニット５０１は、前記スプリングユニット５００に天板５０８と支持杆５０５を設けると共に、底板５０７の中央には前記支持杆５０５を支持する円筒状の受け部５０６を立設している。受け部５０６の内周にはネジ部５０６ａが構成されていて、前記支持杆５０５の内側に設けたネジ部５０５ａと螺合している。
【００４６】
このスプリングユニット５０１は、前記実施形態４のスプリングユニット４０１と同様に、天板５０８を水平方向に回転して圧縮バネ５１０を伸縮させることで、圧縮バネ５１０の間隙５０９と圧縮バネ５２０の間隙５２９の大きさを調整した後に撹拌ヘッド４５０のヘッド本体部４５１に取り付けるものである（図１８参照）。
この間隙５０９、５２９の大きさの調整によって、間隙５０９、５２９を通過する湯又は水の撹拌効果に変化を与えることができる。その他の作用効果は、前記実施形態４と同様であるため説明を省略する。
【００４７】
図２４及び図２５にスプリングユニットの実施形態７を示す。
実施形態７のスプリングユニット６００は、圧縮バネ６１０内側に小径の圧縮バネ６２０を２個設け、これらの圧縮バネ６１０、６２０，６２０の下端に底板６０７を構成して圧縮バネ６１０、６２０，６２０を固定したものである。この構成は前記スプリングユニット４００に小径の圧縮バネ６２０を２個設けた構成と同様である。
【００４８】
前記スプリングユニット６００は、前記実施形態３のスプリングユニット４００と同様に撹拌ヘッド４３０の内部に配置して使用されるが、スプリングユニット６００は、湯又は水が２個の圧縮バネ６２０の間隙６２９と圧縮バネ６１０の間隙６０９の両方を通過するため、撹拌効果に優れている。その他の作用効果は、前記実施形態３と同様であるため説明を省略する。
【００４９】
図２６、図２７にスプリングユニットの実施形態８を示す。
このスプリングユニット６０１は、前記スプリングユニット６００に天板６０８と支持杆６０５を設けると共に、底板６０７の中央には前記支持杆６０５を支持する円筒状の受け部６０６を立設している。受け部６０６の内周にはネジ部６０６ａが構成されていて、前記支持杆６０５の内側に設けたネジ部６０５ａと螺合している。
【００５０】
このスプリングユニット６０１は、前記実施形態４のスプリングユニット４０１と同様に、天板６０８を水平方向に回転して圧縮バネ６１０、６２０、６２０を伸縮させることで、圧縮バネ６１０の間隙６０９と圧縮バネ６２０の間隙６２９の大きさを調整した後に撹拌ヘッド４５０のヘッド本体部４５１に取り付けるものである（図１８参照）。
この間隙６０９、６２９の大きさの調整によって、間隙６０９、６２９を通過する湯又は水の撹拌効果に変化を与えることができる。その他の作用効果は、前記実施形態４と同様であるため説明を省略する。
【００５１】
図２８はホースあるいは管体４２０の先端の湯又は水の吐出口に直接撹拌ヘッド４３０を取り付けた状態を示している。この撹拌ヘッド４３０の内部には、前述の各実施形態のスプリングユニットが配置されている。この例では、ホースあるいは管体４２０の先端から炭酸泉が排出されるから、使用範囲が広がるという特長がある。
【符号の説明】
【００５２】
２００  スプリングユニット    ２１０  圧縮バネ
２０１  天板                  ２０７  底板
２０３  流水路                ２０５  支持杆    
２０６  受け部                ２０９  間隙
２２０  撹拌ヘッド（シャワーヘッド）
２３０  撹拌ヘッド
３００  スプリングユニット    ３１０  圧縮バネ
３０１  天板                  ３０７  底板
３０３  流水路                ３０９  間隙
４３０  撹拌ヘッド            ４５０  撹拌ヘッド
４００  スプリングユニット    ４０１  スプリングユニット
５００  スプリングユニット    ５０１  スプリングユニット
６００  スプリングユニット    ６０１  スプリングユニット
【図１】
2015008758.tif 000003
【図２】
2015008758.tif 000004
【図３】
2015008758.tif 000005
【図４】
2015008758.tif 000006
【図５】
2015008758.tif 000007
【図６】
2015008758.tif 000008
【図７】
2015008758.tif 000009
【図８】
2015008758.tif 000010
【図９】
2015008758.tif 000011
【図１０】
2015008758.tif 000012
【図１１】
2015008758.tif 000013
【図１２】
2015008758.tif 000014
【図１３】
2015008758.tif 000015
【図１４】
2015008758.tif 000016
【図１５】
2015008758.tif 000017
【図１６】
2015008758.tif 000018
【図１７】
2015008758.tif 000019
【図１８】
2015008758.tif 000020
【図１９】
2015008758.tif 000021
【図２０】
2015008758.tif 000022
【図２１】
2015008758.tif 000023
【図２２】
2015008758.tif 000024
【図２３】
2015008758.tif 000025
【図２４】
2015008758.tif 000026
【図２５】
2015008758.tif 000027
【図２６】
2015008758.tif 000028
【図２７】
2015008758.tif 000029
【図２８】
2015008758.tif 000030